(57)【特許請求の範囲】
【請求項１】
内燃機関の排気通路に脱着可能に設けられ、少なくとも排気上流側の端部周縁に、排気通路の内面に接触してこの内面との間をシールするシール部が形成され、外周面に側方へ突出する突出部が設けられ、内部を通過した排気から浮遊粒子状物質を捕集するようにした排気浄化フィルタを収容するキャリヤであって、
排気下流側端部を上に向け排気上流側端部を下に向けた姿勢の排気浄化フィルタを囲むように設けられた柵又は板よりなる本体と、
本体に設けられ、本体を手で提げるための手提げ手段とを備え、
本体の上部に、排気浄化フィルタの排気上流側端部が本体下部の接地部よりも上に位置するように排気浄化フィルタの突出部を受け止める受止部が設けられていることを特徴とする排気浄化フィルタのキャリヤ。
【請求項２】
本体の上部及び下部のうち少なくとも一方には、横断面が変化する段付き部が設けられ、他のキャリヤの上に積み上げ又は他のキャリヤを上に積み上げられるように構成した請求項１の排気浄化フィルタのキャリヤ。
【請求項３】
本体に外側から重なって本体に係止され、下端が本体の下部に回動可能に連結され、下端を中心に回動すると接地してほぼ水平になる置き台が設けられている請求項１又は請求項２の排気浄化フィルタのキャリヤ。
【請求項４】
本体に、工具が装着される工具装着部が設けられている請求項１ないし請求項３のうちいずれか１項の排気浄化フィルタのキャリヤ。
【請求項５】
本体の下部における、収容された排気浄化フィルタの排気上流側端部の直下には、受け皿が設けられている請求項１ないし請求項４のうちいずれか１項の排気浄化フィルタのキャリヤ。
【請求項６】
本体に車輪が設けられている請求項１ないし請求項５のうちいずれか１項の排気浄化フィルタのキャリヤ。
【発明の詳細な説明】
【０００１】
【発明の属する技術分野】
本発明は、内燃機関の排気通路に脱着可能に設けられ、内部を通過した排気から浮遊粒子状物質を捕集するようにした排気浄化フィルタを収容するキャリヤに関する。
【０００２】
【従来の技術】
内燃機関の排気通路に脱着可能に設けられ、内部を通過した排気から浮遊粒子状物質を捕集するようにした排気浄化フィルタが知られている（例えば特開２００２−８９２３５を参照）。この排気浄化フィルタが目詰まりすると排気通路から取り外し、新品の又は再生した排気浄化フィルタが取り付けられる。この排気浄化フィルタは、排気通路の一部を構成するケーシングに収容され、少なくとも排気上流側の端部周縁にシール部としてのフランジが設けられ、このフランジがケーシングの内面に接触することで、排気浄化フィルタとケーシング内面との間をシールしている。排気浄化フィルタの排気下流側端部の外周面には、側方へ突出する別のフランジが設けられ、このフランジに手を掛けて排気浄化フィルタの出し入れが行われる。
【０００３】
【発明が解決しようとする課題】
排気浄化フィルタは、排気通路にコンパクトに収まり、排気浄化機能を発揮するように形状が決定されるが、持ち運びするに適した形状にはなっておらず、フランジ等の突出部に手を掛け、作業者の体の前に吊り下げて持ち運びしているのが実状であり、運搬性がよくない。しかも、運搬中にあちこちにぶつけたり落としたりして排気浄化フィルタが損傷することがある。
【０００４】
排気通路から取り外した排気浄化フィルタを排気下流側端部を上に向け排気上流側端部を下に向けた姿勢でそのまま地面等に置くと、ちょうどシール部が地面等に当たるので、砂、石等でシール部が傷付き、ガスケット等を損傷して次回使用時における排気漏れ等の原因となる。
【０００５】
車庫等で多数の排気浄化フィルタを保管する場合、棚等を作り、これに排気浄化フィルタを載せることが行われるが、スペースをとるし、出し入れの作業が煩雑である。排気浄化フィルタの取り外し又は取り付けにはスパナ等の工具が用いられる。そのため、作業のたびに工具を手元に持ってくる必要があるが、これは煩わしいことである。しかも、車両で出発するときに工具を持参することを忘れることもあり、そのときは出先で排気浄化フィルタの交換が行えない。
【０００６】
本発明はこのような点に着目してなされたものであり、その目的とするところは、排気浄化フィルタを収容する物品であって、排気浄化フィルタを保護すると共に運搬性を高めて排気浄化フィルタが損傷を受けることを防止し、排気浄化フィルタのシール部の損傷をなくして排気漏れ等の不具合を未然に防止することができる排気浄化フィルタのキャリヤを提供することにある。さらに、排気浄化フィルタの保管スペースを小さくし、出し入れの作業を容易にすること、排気浄化フィルタの取り外し又は取り付けに用いる工具をその都度手元に用意する煩わしさなどを解消することも目的としている。
【０００７】
【課題を解決するための手段】
上記目的を達成するため、請求項１の排気浄化フィルタのキャリヤは、内燃機関の排気通路に脱着可能に設けられ、少なくとも排気上流側の端部周縁に、排気通路の内面に接触してこの内面との間をシールするシール部が形成され、外周面に側方へ突出する突出部が設けられ、内部を通過した排気から浮遊粒子状物質を捕集するようにした排気浄化フィルタを収容するキャリヤであって、排気下流側端部を上に向け排気上流側端部を下に向けた姿勢の排気浄化フィルタを囲むように設けられた柵又は板よりなる本体と、本体に設けられ、本体を手で提げるための手提げ手段とを備え、本体の上部に、排気浄化フィルタの排気上流側端部が本体下部の接地部よりも上に位置するように排気浄化フィルタの突出部を受け止める受止部が設けられていることを特徴としている。
【０００８】
排気浄化フィルタを突出部に手を掛けて排気下流側端部を上に向け排気上流側端部を下に向けた姿勢で吊り下げ、キャリヤの上部から本体に入れると、排気浄化フィルタの突出部が本体の受止部に受け止められ、排気浄化フィルタの排気上流側端部が本体下部の接地部よりも上に位置した状態で排気浄化フィルタがキャリヤに収容される。手提げ手段を持って持ち上げれば、本体を手で提げて運搬することができる。その場合、本体が排気浄化フィルタを囲んでいるので、排気浄化フィルタが保護され、しかも手提げ手段を持つことで運搬性が良いので、排気浄化フィルタが損傷を受けることが防止される。排気浄化フィルタの排気上流側端部が本体下部の接地部よりも上に位置するので、シール部が地面等に当たらないことから、シール部が砂、石等で傷付くことがなく、ガスケット等が損傷せず、次回使用時にも確実にシール機能が発揮されて排気漏れ等が起こらない。排気浄化フィルタは突出部で本体に受け止められ、ほぼ宙づり状態であるので、排気通路から取り外したばかりの高熱の排気浄化フィルタや、加熱により再生されたばかりの高熱の排気浄化フィルタを収容して放置しておいても、その熱がキャリヤに伝わりにくい。本体を棒状部材又は薄い板により形成すれば、キャリヤが軽量に仕上がる。
【０００９】
請求項２の排気浄化フィルタのキャリヤは、請求項１の構成において、本体の上部及び下部のうち少なくとも一方には、横断面が変化する段付き部が設けられ、他のキャリヤの上に積み上げ又は他のキャリヤを上に積み上げられるように構成した請求項１の排気浄化フィルタのキャリヤ。
【００１０】
このようにすれば、キャリヤの積み上げが可能となるので、排気浄化フィルタの保管スペースが小さくなり、積み上げ状態で全体を出し入れすれば、排気浄化フィルタの出し入れ作業が容易となる。
【００１１】
請求項３の排気浄化フィルタのキャリヤは、請求項１又は請求項２の構成において、本体に外側から重なって本体に係止され、下端が本体の下部に回動可能に連結され、下端を中心に回動すると接地してほぼ水平になる置き台が設けられている。
【００１２】
このようにすれば、置き台を回動し、接地させてほぼ水平にすれば、その上に、例えば排気浄化装置から取り外した排気浄化フィルタ又は再生装置から取り外した排気浄化フィルタを仮置きすることができる。これは例えばキャリヤに交換用の排気浄化フィルタ等が入っているときに重宝である。その場合、シール部が地面等に接触しないので、シール部が砂、石等で傷付くことがなく、ガスケット等が損傷せず、次回使用時にも確実にシール機能が発揮されて排気漏れ等が起こらない。置き台を使用しないときにはこれを回動し、本体に重ねて係止すれば、邪魔にならない。
【００１３】
請求項４の排気浄化フィルタのキャリヤは、請求項１ないし請求項３のうちいずれか１項の構成において、本体に、工具が装着される工具装着部が設けられている。
【００１４】
このようにすれば、排気浄化フィルタの取り外し又は取り付けに用いる工具を工具装着部に装着しておけば、作業のたびに工具を手元に用意する煩わしさが解消されるし、車両で出発するときに工具を持参することを忘れることもなく、出先であっても排気浄化フィルタの交換を確実に行うことができる。
【００１５】
請求項５の排気浄化フィルタのキャリヤは、請求項１ないし請求項４のうちいずれか１項の構成において、本体の下部における、収容された排気浄化フィルタの排気上流側端部の直下には、受け皿が設けられている。
【００１６】
このようにすれば、収容された排気浄化フィルタから落下する灰等の廃棄物が受け皿で受け止められ、周辺が汚れることがない。
【００１７】
請求項６の排気浄化フィルタのキャリヤは、請求項１ないし請求項５のうちいずれか１項の構成において、本体に車輪が設けられている。
【００１８】
このようにすれば、キャリヤを引いたり押したりすることで移動させることができ、楽である。
【００１９】
【発明の実施の形態】
以下、本発明の実施形態を図面に基づいて詳細に説明する。図１ないし図４は排気浄化フィルタのキャリヤの実施形態を示す。このキャリヤ１００は排気浄化フィルタ２００を収容する。
【００２０】
まず、排気浄化フィルタ２００について説明する。この排気浄化フィルタ２００は、内燃機関の排気通路に脱着可能に設けられる。少なくとも排気浄化フィルタ２００の排気上流側の端部周縁には、排気通路の内面に接触してこの内面との間をシールするシール部が形成されている。排気浄化フィルタ２００の外周面には側方へ突出する突出部が設けられている。排気浄化フィルタ２００は、内部を通過した排気から浮遊粒子状物質を捕集するように構成されている。図１９は、この排気浄化フィルタ２００の一つの実施形態を例示しており、図１７及び図１８は、この排気浄化フィルタ２００を装着した排気浄化装置３００の一つの実施形態を例示している。この排気浄化フィルタ２００は、隔壁で区画された複数のセルを有する、いわゆるセラミックスハニカム体２１０と、このセラミックスハニカム体２１０の外周を覆う金属等よりなる外壁２２０とを備える。セラミックスハニカム体２１０と外壁２２０との間には必要に応じて断熱体が設けられる。このセラミックスハニカム体２１０の一方の端面では各セルの端面がシール材によって交互に市松模様状に塞がれており、他方の端面では、上記一方の端面で塞がれたセルは開口し、上記一方の端面で開口していたセルはシール材によって塞がれている。このように構成することで、セラミックスハニカム体２１０の一方の端面から導入された排気は、内部を通過するときに浮遊粒子状物質が捕集され、浄化されて他方の端面から出る。排気浄化装置３００は、上流側端部に接続口３１１が開口し下流側端部が開放されて内部が排気通路の一部を構成し、内部に排気浄化フィルタ２００を収容するケーシング３１０と、このケーシング３１０の開放端に嵌合してケーシング３１０を閉じると共に排気口３２１を有する蓋３２０とを備えている。排気浄化装置３００は接続口３１１において内燃機関の排気通路（図示省略）に接続され、接続口３１１から排気浄化装置３００の内部に入った排気は、排気浄化フィルタ２００で浄化されて排気口３２１から外部へ排出される。排気浄化装置３００の蓋３２０を開けることで、排気浄化フィルタ２００を排気通路に脱着することができる。少なくとも排気浄化フィルタ２００の排気上流側の端部周縁には、排気通路の内面に接触してこの内面との間をシールするシール部としてのフランジ２２１が全周にわたって形成され、このフランジ２２１を排気通路の内側に設けた階段状の段付き部３１２に接触させ、これによって排気浄化フィルタ２００とケーシング３１０の排気通路の内面との間をシールしている。排気浄化フィルタ２００の外周面には側方へ突出するＵ字形の突出部２２２が設けられ、排気浄化フィルタ２００をケーシング３１０に装着したときに、この突出部２２２がケーシング３１０から外に出るように構成している。この突出部２２２は、排気浄化フィルタ２００を排気通路に脱着するときの手がかりとなり、提手として機能する。本発明は突出部の形状、個数を限定するものではないが、図のように排気浄化フィルタ２００の幅方向の両側に一対の突出部２２２を設けると、排気浄化フィルタ２００をバランスよく提げることができて好ましい。排気浄化フィルタ２００及び排気浄化装置３００は、いずれもほぼ円筒形に形成したが、他の形状としてもよい。ここで説明した排気浄化フィルタ２００及び排気浄化装置３００は一つの実施形態に過ぎず、この実施形態によって本発明の排気浄化フィルタ及び排気浄化装置が限定されるものではない。例えばシール部はＯリングその他のシール部材を利用して構成してもよいし、シール部を複数設けてもよい。
【００２１】
図１ないし図４に示すように、キャリヤ１００は本体１１０と、本体１１０に設けられ、本体１１０を手で提げるための手提げ手段１２０とを備えている。本体１１０は柵よりなり、籠状又は網状に形成されている。柵は棒材を縦、横、斜めなどに配し、ロー付け・溶接等により棒材間を固定したもので、図に示した本体１１０は、これの一例である。本体１１０は板で形成してもよい。板は例えば鋼板であり、必要に応じてこれに孔を開けるが、軽量化のために薄いものを使用することが好ましい。柵と板を組み合わせて本体を形成してもよい。本体１１０は、排気下流側端部２０２を上に向け排気上流側端部２０１を下に向けた姿勢の排気浄化フィルタ２００を囲むように設けられている。本体１１０の上部は、排気浄化フィルタ２００を出し入れできるようにするために開放されている。図では本体１１０の下部を開放しているが、本体１１０の下部にも柵又は板を設けてもよい。図に示した本体１１０は、平面視でほぼ矩形に形成され、全体としてほぼ直方体に形成されているが、例えば平面視でほぼ円形、楕円形その他の形状としてもよい。図に示した本体１１０は、排気浄化フィルタ２００を平面視で二つ並べて収容できるように、平面視で横長に形成しているが、収容個数は単数であっても三個以上であってもよい。複数収容するときは、図のように隣り合う排気浄化フィルタ２００が接触しないように間仕切りを設けてもよい。柵の目の大きさ又は板に孔を開けたときの孔の大きさは、収容した排気浄化フィルタ２００の一部が本体１１０から側方へはみ出ないように設定する。
【００２２】
手提げ手段１２０は、手を掛け又は手で握る手提げ部１２１と、本体１１０に連結される連結部１２２とを備える。図では棒材をほぼＵ字形又はコ字形に形成して手提げ手段１２０を構成し、その中途部に手提げ部１２１を設け、両端に連結部１２２を設け、この二つの連結部１２２を本体１１０の上部の対向する二辺に回動可能に連結している。手提げ手段１２０を使用するときは、図５に示すように手提げ部１２１が本体１１０の上部の央部上方に位置するように立ち上げ、手提げ手段１２０を使用しないときなどは、図１に示すように手提げ手段１２０を側方へ倒して邪魔にならないようにしている。ここでは手提げ手段１２０を、平面視で手提げ部１２１がほぼ平行になるよう二本設けている。手提げ手段を一本のみ設けてもよいが、二本設けると、キャリヤ１００を安定的に提げることができるので好ましい。本発明は連結部の形状、個数を限定するものではないが、図のように手提げ手段１２０の両端に連結部１２２を設けると、キャリヤ１００をバランスよく提げることができて好ましい。
【００２３】
本体１１０の上部には、排気浄化フィルタ２００の排気上流側端部２０１が本体下部の接地部１１１よりも上に位置するように排気浄化フィルタ２００の突出部２２２を受け止める受止部１１２が設けられている。接地部１１１は本体１１０が接地する部分であり、ここでは後述する受け皿１１５の下面が接地部１１１となっている。受止部１１２は、本体１１０の上部の一部を下方へくぼませることで形成されている。受止部１１２の幅は突出部２２２の幅又はそれ以上である。図では本体１１０の上部の対向する二辺において、その一部を下方へくぼませることで受止部１１２を形成している。接地部１１１から受止部１１２までの長さは排気浄化フィルタ２００の排気上流側端部２０１から突出部２２２までの長さよりも大きく設定されている。こうすることで、排気浄化フィルタ２００をキャリヤ１００に収容し、突出部２２２を受止部１１２で受け止めたときに、排気浄化フィルタ２００の排気上流側端部２０１が本体下部の接地部１１１よりも上に位置する。
【００２４】
図１ないし図４に示すように、本体１１０の下部には、横断面が変化する段付き部１１３が設けられ、このキャリア１００を他のキャリヤ１００の上に積み上げ又は他のキャリヤ１００を上に積み上げられるように構成している（図１１ないし図１３を参照）。図では、横断面が下方に向かって減少するような段付き部１１３が設けられており、この段付き部１１３が他のキャリヤ１００の上部開口の内側に嵌合するようになっている。ここでは後述する受け皿１１５の下部で段付き部１１３を構成しているが、柵又は板よりなる本体１１０そのものの下部に段付き部を形成してもよい。横断面が下方に向かって増大するような段付き部を設けてもよい。段付き部を本体の上部に設け、この段付き部を上方に向かって減少又は増大するように設けてもよい。そうすることでキャリヤを他のキャリヤの上に積み上げ又は他のキャリヤを上に積み上げることができる。
【００２５】
図１ないし図４に示すように、本体１１０には、本体１１０に外側から重なって本体１１０に係止された置き台１３０が設けられている。この置き台１３０は下端１３１が本体１１０の下部に回動可能に連結されており、図６に示すように、下端１３１を中心に回動すると置き台１３０が接地してほぼ水平になるようにしている。図１４ないし図１６に示すように、接地してほぼ水平にした置き台１３０の上に排気浄化フィルタ２００を仮置きすることができる。置き台１３０を使用しないときは、置き台１３０を下端１３１を中心に立ち上げる向きに回動して本体１１０に外側から重ねて本体１１０に係止しておく。置き台１３０の本体１１０への係止は、図のようにクリップ等で留めることが例示されるが、他の公知の方法によってもよい。置き台１３０からは複数（図では一対）のガイド部１３２が立ち上がっており、置き台１３０に排気浄化フィルタ２００を仮置きしたときに、ガイド部１３２が排気浄化フィルタ２００の排気上流側端部２０１における外壁２２０の内面数カ所に掛かって排気浄化フィルタ２００がずり落ちないようにしている。
【００２６】
図１ないし図４に示すように、本体１１０には、工具が装着される工具装着部１１４が設けられている。この実施形態の排気浄化装置３００は蓋３２０を開け閉めするときにボルトナットを操作するので、工具としてはスパナ、レンチ等を用いることから、これらの工具を差し込んで装着できるように工具装着部１１４を平面視でほぼリング状の形態にし、これを本体１１０の隅にロー付け・溶接等により固定している。工具装着部の形態はこれに限定されるものではなく、他にも工具を収納する袋状の形態、工具を掛けるフック等の係止器具の形態、磁石等で工具を吸着する形態が含まれる。
【００２７】
図１ないし図４に示すように、本体１１０の下部における、収容された排気浄化フィルタ２００の排気上流側端部２０１の直下には、受け皿１１５が設けられている。ここでは受け皿１１５が本体１１０の下部の開放部の大部分を塞ぐように設けられている。この受け皿１１５は、例えば鋼板で形成されるが、軽量化のために薄いものを使用することが好ましい。受け皿１１５は、例えば、本体１１０の下部を周回する棒材の内側に嵌合し、受け皿１１５の上部周縁のフランジがこの棒材の上面に掛かることで本体１１０から不用意に抜け落ちないようにされる。
【００２８】
図示しないが、必要に応じて、本体１１０に車輪を設けるようにしてもよい。車輪は、例えば本体１１０に単数又は複数が回転可能に設けられ、車輪が回転することでキャリヤ１００を引いたり押したりできるようにする。そのときは手提げ手段１２０を長目に設定すれば人が立ったままでキャリヤ１００を引いたり押したりしやすくなる。
【００２９】
従って、実施形態のキャリヤ１００を用いる場合、排気浄化フィルタ２００を突出部２２２に手を掛けて排気下流側端部２０２を上に向け排気上流側端部２０１を下に向けた姿勢で吊り下げ、キャリヤ１００の上部から本体１１０に入れると、排気浄化フィルタ２００の突出部２２２が本体１１０の受止部１１２に受け止められ、排気浄化フィルタ２００の排気上流側端部２０１が本体下部の接地部１１１よりも上に位置した状態で排気浄化フィルタ２００がキャリヤ１００に収容される（図７ないし図１０を参照）。手提げ手段１２０を持って持ち上げれば、本体１１０を手で提げて運搬することができる。その場合、本体１１０が排気浄化フィルタ２００を囲んでいるので、排気浄化フィルタ２００が保護され、しかも手提げ手段１２０を持つことで運搬性が良いので、排気浄化フィルタ２００が損傷を受けることが防止される。排気浄化フィルタ２００の排気上流側端部２０１が本体下部の接地部１１１よりも上に位置するので、シール部としてのフランジ２２１が地面等に当たらないことから、フランジ２２１が砂、石等で傷付くことがなく、ガスケット等が損傷せず、次回使用時にも確実にシール機能が発揮されて排気漏れ等が起こらない。排気浄化フィルタ２００は突出部２２２で本体１１０に受け止められ、ほぼ宙づり状態であるので、排気通路から取り外したばかりの高熱の排気浄化フィルタ２００や、加熱により再生されたばかりの高熱の排気浄化フィルタ２００を収容して放置しておいても、その熱がキャリヤ１００に伝わりにくい。本体１１０を棒状部材又は薄い板により形成すれば、キャリヤ１００が軽量に仕上がる。
【００３０】
本発明は段付き部が無く、積み上げ使用できない排気浄化フィルタのキャリヤの実施形態を含む。それに対して上記実施形態は、図１１ないし図１３に示すように、本体１１０の上部及び下部のうち少なくとも一方に、横断面が変化する段付き部１１３を設け、他のキャリヤ１００の上に積み上げ又は他のキャリヤ１００を上に積み上げられるように構成した。このようにすれば、キャリヤ１００の積み上げが可能となるので、排気浄化フィルタ２００の保管スペースが小さくなり、積み上げ状態で全体を出し入れすれば、排気浄化フィルタ２００の出し入れ作業が容易となる。
【００３１】
本発明は置き台が無く、排気浄化フィルタを本体の外で仮置きすることができないキャリヤの実施形態を含む。それに対して上記実施形態は、図１４ないし図１６に示すように、本体１１０に外側から重なって本体１１０に係止され、下端１３１が本体１１０の下部に回動可能に連結され、下端１３１を中心に回動すると接地してほぼ水平になる置き台１３０が設けられている。このようにすれば、置き台１３０を回動し、接地させてほぼ水平にすれば、その上に、例えば排気浄化装置３００から取り外した排気浄化フィルタ２００又は再生装置から取り外した排気浄化フィルタ２００を仮置きすることができる。これは例えばキャリヤ１００に交換用の排気浄化フィルタ等が入っているときに重宝である。その場合、シール部としてのフランジ２２１が地面等に接触しないので、フランジ２２１が砂、石等で傷付くことがなく、ガスケット等が損傷せず、次回使用時にも確実にシール機能が発揮されて排気漏れ等が起こらない。置き台１３０を使用しないときにはこれを回動し、本体１１０に重ねて係止すれば、邪魔にならない。
【００３２】
本発明は工具装着部が無く、工具を装着することができないキャリヤの実施形態を含む。それに対して上記実施形態は、本体１１０に、工具が装着される工具装着部１１４が設けられている。このようにすれば、排気浄化フィルタ２００の取り外し又は取り付けに用いる工具を工具装着部１１４に装着しておけば、作業のたびに工具を手元に用意する煩わしさが解消されるし、車両で出発するときに工具を持参することを忘れることもなく、出先であっても排気浄化フィルタ２００の交換を確実に行うことができる。
【００３３】
本発明は受け皿が無いキャリヤの実施形態を含む。それに対して上記実施形態は、本体１１０の下部における、収容された排気浄化フィルタ２００の排気上流側端部２０１の直下に、受け皿１１５が設けられている。このようにすれば、収容された排気浄化フィルタ２００から落下する灰等の廃棄物が受け皿１１５で受け止められ、周辺が汚れることがない。
【００３４】
上記実施形態ではキャリヤ１００に車輪を設けなかった。それに対して、本体に車輪を設けたときには、キャリヤ１００を引いたり押したりすることで移動させることができ、楽である。
【００３５】
【発明の効果】
請求項１の排気浄化フィルタのキャリヤを用いれば、排気浄化フィルタを保護できると共に運搬性を高めて排気浄化フィルタが損傷を受けることを防止することができ、排気浄化フィルタのシール部の損傷をなくして排気漏れ等の不具合を未然に防止することができる。また、排気浄化フィルタは、ほぼ宙づり状態であるので、排気通路から取り外したばかりの高熱の排気浄化フィルタや、加熱により再生されたばかりの高熱の排気浄化フィルタを収容して放置しておいても、その熱がキャリヤに伝わりにくい。
【００３６】
請求項２のようにすれば、キャリヤの積み上げが可能となるので、排気浄化フィルタの保管スペースが小さくなり、積み上げ状態で全体を出し入れすれば、排気浄化フィルタの出し入れ作業が容易となる。
【００３７】
請求項３のようにすれば、排気浄化装置等から取り外した排気浄化フィルタを仮置きすることができ、その場合に排気浄化フィルタのシール部の損傷をなくして排気漏れ等の不具合を未然に防止することができる。置き台を使用しないときにはこれを回動し、本体に重ねて係止すれば、邪魔にならない。
【００３８】
請求項４のようにすれば、排気浄化フィルタの取り外し又は取り付けに用いる工具を手元に用意する煩わしさが解消されるし、車両で出発するときに工具を持参することを忘れることもなく、出先であっても排気浄化フィルタの交換を確実に行うことができる。
【００３９】
請求項５のようにすれば、収容された排気浄化フィルタから落下する灰等の廃棄物が受け皿で受け止められ、周辺が汚れることがない。
【００４０】
請求項６のようにすれば、キャリヤを引いたり押したりすることで移動させることができ、楽である。
【図面の簡単な説明】
【図１】実施形態のキャリヤの斜視図である。
【図２】実施形態のキャリヤの正面図である。
【図３】実施形態のキャリヤの側面図である。
【図４】実施形態のキャリヤの平面図である。
【図５】手提げ手段を立てたときの実施形態のキャリヤの斜視図である。
【図６】置き台を接地させたときの実施形態のキャリヤの斜視図である。
【図７】排気浄化フィルタを収容した実施形態のキャリヤの斜視図である。
【図８】排気浄化フィルタを収容した実施形態のキャリヤの正面図である。
【図９】排気浄化フィルタを収容した実施形態のキャリヤの側面図である。
【図１０】排気浄化フィルタを収容した実施形態のキャリヤの平面図である。
【図１１】排気浄化フィルタを収容した実施形態のキャリヤを積み上げたときの斜視図である。
【図１２】排気浄化フィルタを収容した実施形態のキャリヤを積み上げたときの正面図である。
【図１３】排気浄化フィルタを収容した実施形態のキャリヤを積み上げたときの側面図である。
【図１４】排気浄化フィルタを収容すると共に置き台には排気浄化フィルタを置いたときの実施形態のキャリヤの斜視図である。
【図１５】排気浄化フィルタを収容すると共に置き台には排気浄化フィルタを置いたときの実施形態のキャリヤの正面図である。
【図１６】排気浄化フィルタを収容すると共に置き台には排気浄化フィルタを置いたときの実施形態のキャリヤの側面図である。
【図１７】排気浄化フィルタを装着した排気浄化装置の一態様を示し、その一部を断面した平面図である。
【図１８】  排気浄化フィルタを装着した排気浄化装置の一態様を示す側面図である。
【図１９】  実施形態のキャリヤに収容される排気浄化フィルタを示し、（ａ）は平面図、（ｂ）は排気下流側端部の側からみた側面図、（ｃ）は正面図である。
【符号の説明】
１００  キャリヤ
１１０  本体
１１１  接地部
１１２  受止部
１１３  段付き部
１１４  工具装着部
１１５  受け皿
１２０  手提げ手段
１３０  置き台
２００  排気浄化フィルタ
２０１  排気上流側端部
２０２  排気下流側端部
２２１  フランジ（シール部）
２２２  突出部
３００  排気浄化装置
【図１】
0003980931.tif 000002
【図２】
0003980931.tif 000003
【図３】
0003980931.tif 000004
【図４】
0003980931.tif 000005
【図５】
0003980931.tif 000006
【図６】
0003980931.tif 000007
【図７】
0003980931.tif 000008
【図８】
0003980931.tif 000009
【図９】
0003980931.tif 000010
【図１０】
0003980931.tif 000011
【図１１】
0003980931.tif 000012
【図１２】
0003980931.tif 000013
【図１３】
0003980931.tif 000014
【図１４】
0003980931.tif 000015
【図１５】
0003980931.tif 000016
【図１６】
0003980931.tif 000017
【図１７】
0003980931.tif 000018
【図１８】
0003980931.tif 000019
【図１９】
0003980931.tif 000020